(57)【要約】  電子デバイスにおいて観測到着時間差（ＯＴＤＯＡ）位置決定をサポートする位置決定参照信号（ＰＲＳ）は、一意識別子を有するネットワークノードによって生成され、送信される。ＰＲＳを生成することは、第１のＰＲＳシーケンスを生成することと、修正関数を用いて第１のＰＲＳシーケンスを修正し、第２のＰＲＳシーケンスを生成することによって、第２のＰＲＳシーケンスを生成することとを含む。第１のＰＲＳシーケンスと第２のＰＲＳシーケンスの和は、ゼロである。【選択図】図９
2021532671.tif 000002
【特許請求の範囲】
【請求項１】
電子デバイス（１００）において観測到着時間差（Observed  Time  Difference  of  Arrival：ＯＴＤＯＡ）位置決定をサポートする位置決定参照信号（Position  Reference  Signal：ＰＲＳ）を送信する方法であって、一意識別子を有するネットワークノード（１０４）によって実行され、
ａ）第１のＰＲＳシーケンスを生成すること（９０６）と、
ｂ）修正関数を用いて前記第１のＰＲＳシーケンスを修正し、第２のＰＲＳシーケンスを生成することによって、前記第２のＰＲＳシーケンスを生成すること（９０８）であって、前記第１のＰＲＳシーケンスと前記第２のＰＲＳシーケンスの和がゼロである、前記生成することと、
ｃ）前記第１及び第２のＰＲＳシーケンスを送信すること（９１０）とを含む、方法。
【請求項２】
前記第１及び第２のＰＲＳシーケンスは、物理リソースブロックのそれぞれのリソース要素で送信される、請求項１に記載の方法。
【請求項３】
前記第１及び第２のＰＲＳシーケンスは、直交周波数分割多重（Orthogonal  Frequency  Divisional  Multiplexing：ＯＦＤＭ）シンボルで送信するように変調される、請求項１又は２に記載の方法。
【請求項４】
前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある、請求項３に記載の方法。
【請求項５】
第１のＰＲＳ参照シーケンスを生成し、前記第１のＰＲＳ参照シーケンスに前記修正関数を適用することによって第２のＰＲＳ参照シーケンスを生成することを、前記電子デバイスがサポートすることを決定すること（９０２）をさらに含む、請求項１〜４のいずれかに記載の方法。
【請求項６】
前記決定することは、前記ネットワークノードと前記電子デバイスとの間の無線リソース制御シグナリング又はユーザ機器能力シグナリングのうちの少なくとも１つを使用して実行される、請求項５に記載の方法。
【請求項７】
前記電子デバイス用の一連の第１及び第２のＰＲＳシーケンスを提供するために、ａ）からｃ）を繰り返すことをさらに含む、請求項１〜６のいずれかに記載の方法。
【請求項８】
一意識別子を有する無線アクセスネットワーク（１０２）内の無線アクセスノード（１０４）であって、
電子デバイス（１００）と通信を行うように構成された無線インタフェース（２０２）と、
制御回路（２００）であって、
ａ）第１の位置決定参照信号（ＰＲＳ）シーケンスを生成し（９０６）、
ｂ）修正関数を用いて前記第１のＰＲＳシーケンスを修正し、第２のＰＲＳシーケンスを生成することによって、前記第２のＰＲＳシーケンスを生成し（９０８）、前記第１のＰＲＳシーケンスと前記第２のＰＲＳシーケンスの和がゼロであり、
ｃ）前記第１及び第２のＰＲＳシーケンスを送信する（９１０）、
ように構成された制御回路（２００）と、を備える、無線アクセスノード。
【請求項９】
前記第１及び第２のＰＲＳシーケンスは、物理リソースブロックのそれぞれのリソース要素で送信される、請求項８に記載の無線アクセスノード。
【請求項１０】
前記第１及び第２のＰＲＳシーケンスは、直交周波数分割多重（Orthogonal  Frequency  Divisional  Multiplexing：ＯＦＤＭ）シンボルで送信するように変調される、請求項８又は９に記載の無線アクセスノード。
【請求項１１】
前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある、請求項１０に記載の無線アクセスノード。
【請求項１２】
前記制御回路は、第１のＰＲＳ参照シーケンスを生成し、前記第１のＰＲＳ参照シーケンスに前記修正関数を適用することによって第２のＰＲＳ参照シーケンスを生成することを、前記電子デバイスがサポートすることを決定する（９０２）ようにさらに構成された、請求項８〜１１のいずれかに記載の無線アクセスノード。
【請求項１３】
前記決定することは、前記無線アクセスノードと前記電子デバイスとの間の無線リソース制御シグナリング又はユーザ機器能力シグナリングのうちの少なくとも１つを使用して実行される、請求項１２に記載の無線アクセスノード。
【請求項１４】
前記制御回路は、前記電子デバイス用の一連の第１及び第２のＰＲＳシーケンスを提供するために、ａ）からｃ）を繰り返すように構成された、請求項８〜１３のいずれかに記載の無線アクセスノード。
【請求項１５】
電子デバイス（１００）によって観測到着時間差（Observed  Time  Difference  of  Arrival：ＯＴＤＯＡ）位置決定を行う方法であって、
一意識別子を有するネットワークノードから第１のＰＲＳシーケンス及び第２のＰＲＳシーケンスを受信すること（１０００）であって、前記第２のＰＲＳシーケンスは、前記第１のＰＲＳシーケンスに修正関数を適用することによる前記第１のＰＲＳシーケンスの修正バージョンであり、前記第１のＰＲＳシーケンスと前記第２のＰＲＳシーケンスとの和がゼロである、前記受信することと、
第１のＰＲＳ参照シーケンスを生成し、前記第１のＰＲＳ参照シーケンスに前記修正関数を適用することによって第２のＰＲＳ参照シーケンスを生成すること（１００２）と、
前記生成されたＰＲＳ参照シーケンスと前記受信されたＰＲＳシーケンスとを相互相関すること（１００４）と、
前記相互相関することの結果から到着の推定時間差を決定すること（１００６）とを含む、方法。
【請求項１６】
前記第１及び第２のＰＲＳシーケンスは、直交周波数分割多重（Orthogonal  Frequency  Divisional  Multiplexing：ＯＦＤＭ）シンボルで前記ネットワークノードによって送信するように変調される、請求項１５に記載の方法。
【請求項１７】
前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある、請求項１６に記載の方法。
【請求項１８】
観測到着時間差（Observed  Time  Difference  of  Arrival：ＯＴＤＯＡ）位置決定を行う電子デバイス（１００）であって、
一意識別子を有するネットワークノード（１０４）から第１のＰＲＳシーケンス及び第２のＰＲＳシーケンスを受信（１０００）し、前記第２のＰＲＳシーケンスは、前記第１のＰＲＳシーケンスに修正関数を適用することによる前記第１のＰＲＳシーケンスの修正バージョンであり、前記第１のＰＲＳシーケンスと前記第２のＰＲＳシーケンスとの和がゼロである、ように構成された無線インタフェース（３０２）と、
制御回路（３００）であって、
第１のＰＲＳ参照シーケンスを生成し、前記第１のＰＲＳ参照シーケンスに前記修正関数を適用することによって第２のＰＲＳ参照シーケンスを生成し（１００２）、
前記生成されたＰＲＳ参照シーケンスと前記受信されたＰＲＳシーケンスとを相互相関し（１００４）、
前記相互相関することの結果から到着の推定時間差を決定する（１００６）、ように構成された制御回路（３００）とを備える、電子デバイス。
【請求項１９】
前記第１及び第２のＰＲＳシーケンスは、直交周波数分割多重（Orthogonal  Frequency  Divisional  Multiplexing：ＯＦＤＭ）シンボルで前記ネットワークノードによって送信するように変調される、請求項１８に記載の電子デバイス。
【請求項２０】
前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある、請求項１９に記載の電子デバイス。
【発明の詳細な説明】
【技術分野】
【０００１】
〔関連出願データ〕
本出願は、２０１８年８月７日出願のスウェーデンの特許出願第１８３０２３０−７号の利益を主張し、その開示内容の全体が本明細書に参考として組み込まれる。
【０００２】
本開示の技術は、概して、観測到達時間差（Observed  Time  Difference  of  Arrival：ＯＴＤＯＡ）位置決定を使用又はサポートするシステムに関し、特に、異なるソースからの位置決定参照信号（Positioning  Reference  Signal：ＰＲＳ）シーケンスの相互相関を容易にする方法で、ＯＴＤＯＡ位置決定をサポートする参照信号として使用されるＰＲＳを生成するシステム及び方法に関する。
【背景技術】
【０００３】
マシンタイプ通信（Machine  Type  Communication：ＭＴＣ）デバイス、拡張ＭＴＣ（Enhanced  MTC：ｅＭＴＣ）及び狭帯域ＩｏＴ（Narrow-band  IoT：ＮＢ‐ＩｏＴ）デバイスなどのモノのインターネット（Internet  of  Things：ＩｏＴ）デバイスのための測位が、３ＧＰＰロングタームエボリューション（Long  Term  Evolution：ＬＴＥ）リリース１４の一環として、第３世代パートナーシッププロジェクト（3rd  Generation  Partnership  Project：３ＧＰＰ）によって導入された。協定された測位技術は、ＯＴＤＯＡである。したがって、ＩｏＴデバイス又は他のタイプのデバイスは、その位置を決定してもよい。ＩｏＴデバイスは、より一般的に、ユーザ機器（User  Equipment：ＵＥ）、端末、局などと呼ばれることがある。
【０００４】
ＯＴＤＯＡは、ＬＴＥネットワークに広く展開されている無線アクセス技術（Radio  Access  Technology：ＲＡＴ）に依存している測位技術の一種である。原則的に、ＵＥは複数の基地局（例えば、ｅＮＢ）から参照信号を受信し、その後に各基地局に対して到着時間差（Timing  Difference  of  Arrival：ＴＤＯＡ）測定を実行する。サービングｅＮＢ及び隣接ｅＮＢの測定されたＴＤＯＡ間の差は、参照信号時間差（Reference  Signal  Time  Difference：ＲＳＴＤ）測定として知られている。ＲＳＴＤ測定結果は、ＬＴＥ測位プロトコル（LTE  Positioning  Protocol：ＬＰＰ）を使用してＵＥから基地局を介してロケーションサーバ（Location  Server：ＬＳ）に送信される。ＲＳＴＤ測定結果及びｅＮＢの既知の固定位置に基づいて、ＵＥの位置を推定できる。ＬＳは測位推定を行い、その結果をＵＥに返すことができる。ＬＴＥにおけるＯＴＤＯＡは、基地局からＵＥへ送信されるＰＲＳシーケンスに基づいている。典型的には、各基地局によって生成されるＰＲＳシーケンスは、３ＧＰＰ技術仕様（Technical  Specification：ＴＳ）３６．２１１に記載されているゴールドシーケンスに基づいている。
【０００５】
しかしこの技術のもとでは、特に限られた帯域幅を使用する送信において、測位精度性能は満足できるものではない。例えば、ＮＢ−ＩｏＴ帯域幅は１８０ｋＨｚに制限される。比較的良好な性能は、静的チャネル（例えば、加法的白色ガウス雑音（Additive  White  Gaussian  Noise：ＡＷＧＮ）チャネル）において、及び受信ＰＲＳの多くの時間領域反復の蓄積後に達成されることがある。残念ながら、多くの反復を使用すると、位置決定に要する時間が増加し、ＵＥの消費電力が増加し、ネットワークリソースの利用が増加する。
【発明の概要】
【発明が解決しようとする課題】
【０００６】
開示されたシステム及び方法は、３ＧＰＰ準拠ネットワークで動作するＵＥなどの電子デバイスによる改善された位置決定を提供する。このアプローチは、全地球測位システム（Global  Positioning  System：ＧＰＳ）が可能なもの及びＧＰＳが可能でないものを含む様々なタイプのデバイスに適用される。開示された技術は、ＯＴＤＯＡをサポートするＰＲＳシーケンスがネットワークノード（例えば、ネットワークアクセスポイント又は基地局）によって生成される方法、及び位置決定が行われている電子デバイス（例えば、ＵＥ）によって、対応するＰＲＳシーケンスが局所的に生成される方法に適用される。既存のレガシー電子デバイスを後方互換性のある方法でサポートするために、レガシーＰＲＳシーケンスも生成できるように、ＰＲＳシーケンス生成の修正を実施してもよい。ＰＲＳシーケンス生成の修正は、異なるネットワークノードからのＰＲＳシーケンスの相互相関を低減又は最小化することにより位置決定精度を改善するために、低複雑性関数を採用する。特に、低い（例えば、ゼロ）相互相関を採用し、測位精度を改善する。レガシーＰＲＳシーケンスは、例えば、３ＧＰＰのＬＴＥネットワーク（４Ｇ）で従来から生成されているＰＲＳシーケンスである。この修正されたアプローチは、レガシーＰＲＳシーケンスを置き換えるＰＲＳシーケンスを生成するために、５Ｇなどのより新しいネットワーク、又は他のタイプのネットワークで採用してもよい。
【図面の簡単な説明】
【０００７】
【図１】図１は、ユーザ機器（ＵＥ）とも呼ばれる電子デバイスの動作ネットワーク環境の概略図である。
【図２】図２は、ネットワーク環境における基地局（例えば、ネットワークノード）の概略図である。
【図３】図３は、ネットワーク環境におけるＵＥの概略図である。
【図４】図４は、２つのリソースブロックに対する無線フレームを示す。
【図５Ａ】図５Ａは、第１の基地局によって生成された第１のＰＲＳ信号及び第２のＰＲＳ信号を含むＯＦＤＭシンボルの信号空間配置図である。
【図５Ｂ】図５Ｂは、第２の基地局によって生成された第１のＰＲＳ信号及び第２のＰＲＳ信号を含むＯＦＤＭシンボルの信号空間配置図である。
【図６】図６は、開示された技術の態様に従って生成されるＰＲＳシーケンスの送信を示すＮＢ−ＩｏＴスタンドアロンモードのＰＲＳリソースグリッドである。
【図７】図７は、電子デバイスにおいて実行されるＰＲＳ受信機処理関数の概略図である。
【図８】図８は、開示された技術の態様による位置決定及び従来技術による位置決定の性能を示すグラフである。
【図９】図９は、基地局によって実行されるＰＲＳ動作の例示的なフロー図である。
【図１０】図１０は、ＵＥによって実行されるＰＲＳ動作の例示的なフロー図である。
【発明を実施するための形態】
【０００８】
実施形態は、図面を参照して記載されるが、ここで、全体を通じて同じ要素を参照するために同じ参照番号が使用される。図面は、必ずしも縮尺通りではないことが理解されるだろう。１つの実施形態に関して記載及び／又は図示されている特徴は、１つ以上の他の実施形態において、及び／又は他の実施形態の特徴と組み合わされて、もしくは他の実施形態の特徴の代わりに、同じ方法又は類似した方法で使用してもよい。
【０００９】
〔システムアーキテクチャ〕
図１は、開示された技術が実装されている例示的なネットワーク環境の概略図である。図示されたネットワーク環境は代表的なものであり、開示された技術を実施するために他の環境又はシステムを使用してもよいことが理解されよう。
【００１０】
ネットワーク環境は、ユーザ機器（ＵＥ）１００などの電子デバイスに関する。３ＧＰＰ標準によって検討されるように、ＵＥは、モノのインターネット（ＩｏＴ）デバイス又は携帯無線電話（「スマートフォン」）であり得る。他の例示的なタイプのＵＥ１００には、ゲーミングデバイス、メディアプレーヤ、タブレットコンピューティングデバイス、及びコンピュータが挙げられるが、これらに限定されない。ＩｏＴデバイスは、典型的にマシンツーマシン（machine-to-machine：Ｍ２Ｍ）通信又はマシンタイプ通信（ＭＴＣ）を使用して通信する。
【００１１】
ネットワーク環境は、３Ｇネットワーク、４Ｇネットワーク又は５Ｇネットワークなどの１つ以上の３ＧＰＰ標準に従って構成された無線通信ネットワークを含む。無線通信ネットワークは、３ＧＰＰネットワークと呼ばれることもある。３ＧＰＰネットワークは、コアネットワーク（Core  Network：ＣＮ）（図示せず）及び無線アクセスネットワーク（Radio  Access  Network：ＲＡＮ）１０２を含む。
【００１２】
ＲＡＮ１０２は、基地局１０４とも呼ばれる複数のＲＡＮノードを含む。３つの基地局１０４は、それぞれ参照番号１０４ａ、１０４ｂ及び１０４ｃでラベル付けされ、図示した実施形態に示されている。３つを超える基地局１０４が存在してもよいことが理解されよう。基地局１０４は、例えば、発展型ノードＢ（Evolved  Node  B：ｅＮＢ）基地局又は５Ｇ世代ｇＮＢ基地局としてもよい。典型的には、ＵＥ１００と基地局１０４のうちの１つとの間に無線リンクが確立され、これはデータ通信のためのサービス基地局１０４と呼ばれる。他の基地局１０４は、ＵＥ１００の通信範囲内にあってもよく、本明細書に開示されるようにＵＥ１００によって行われる位置決定をサポートしてもよい。
【００１３】
ＲＡＮ１０２は、ユーザプレーン及びコントロールプレーンを有すると考えられ、コントロールプレーンは、Ｕｅ１００とサービス基地局１０４との間の無線リソース制御（Radio  Resource  Control：ＲＲＣ）シグナリングによって実施される。基地局１０４とＵＥとの間の他のシグナリングは、ＵＥ能力シグナリングを含むことがある。
【００１４】
開示された技術は、他のタイプのネットワーク及び／又は無線アクセス技術に適用される。したがって、開示された基地局１０４は、総称して無線アクセスノードと呼ばれることがあり、開示されたＵＥ１００は、総称して電子デバイスと呼ばれることがある。無線アクセスノード以外の装置がＰＲＳシーケンスを生成し、ＵＥ１００に送信することが可能である。例えば、高精度で知られている固定位置もしくは現在位置を有する基地局又はビーコン送信機は、ＰＲＳシーケンスをＵＥ１００に送信してもよい。したがって、開示された技術（例えば、基地局又は他のデバイス）に従ってＰＲＳシーケンスを生成し送信するネットワーク構成要素は、ネットワークノードと呼ばれることがある。
【００１５】
図２をさらに参照すると、基地局１０４の概略ブロック図が示されている。基地局１０４は、制御回路２００を含み、制御回路は、基地局１０４の全体的な動作を担い、本明細書に記載される動作を実行するように基地局１０４を制御することを含む。例示的な実施形態では、制御回路２００は、プロセッサ（例えば、中央処理装置（Central  Processing  Unit：ＣＰＵ）、マイクロコントローラ、又はマイクロプロセッサ）を含んでもよく、プロセッサは、基地局１０４の動作を実行するために、制御回路２００のメモリ（例えば、非一時的なコンピュータ可読媒体）によって記憶された論理演算命令（例えば、行又はコード、ソフトウェアなど）を実行する。
【００１６】
基地局１０４は、無線トランシーバなどの無線インタフェース２０２を含み、ＵＥ１００との無線接続を確立する。基地局１０４はまた、コアネットワーク（図示せず）へのインタフェース２０４を含む。基地局１０４はまた、ＲＡＮ１０２内でネットワーク調整を行うために、１つ以上の隣接基地局１０４へのインタフェースを含んでもよい。
【００１７】
図３をさらに参照すると、ＵＥ１００の概略ブロック図が示されている。ＵＥ１００は、制御回路３００を含み、制御回路は、ＵＥ１００の全体的な動作を担い、本明細書に記載される動作を実行するようにＵＥ１００を制御することを含む。例示的な実施形態では、制御回路３００は、プロセッサ（例えば、中央処理装置（ＣＰＵ）、マイクロコントローラ、又はマイクロプロセッサ）を含んでもよく、プロセッサは、ＵＥ１００の動作を実行するために、制御回路３００又は別個のメモリ３０４のメモリ（例えば、非一時的なコンピュータ可読媒体）によって記憶された論理演算命令（例えば、ライン又はコード、ソフトウェアなど）を実行する。
【００１８】
ＵＥ１００は、無線トランシーバなどの無線インタフェース３０２を含み、サービス基地局１０４との無線接続を確立し、複数の基地局１０４からＰＲＳシーケンスを受信する。場合によっては、ＵＥ１００は、充電式電池（図示せず）によって電力を供給されてもよい。デバイスのタイプに応じて、ＵＥ１００は、１つ以上の他の構成要素を含んでもよい。他の構成要素は、センサ、ディスプレイ、入力構成要素、出力構成要素、電気コネクタなどを含んでもよいが、これらに限定されない。
【００１９】
〔位置決定〕
ＰＲＳを用いたＯＴＤＯＡ位置決定の一般的な動作は、当業者には一般的に知られている。したがって、この位置決定技術の詳細な説明は省略する。むしろ、説明はＰＲＳシーケンスが生成される方法に焦点を当てる。
【００２０】
一般に、ＯＴＤＯＡは、複数の基地局１０４から受信された信号の到着時間（Time  of  Arrival：ＴＯＡ）をＵＥ１００が測定する多面的な測位方法である。異なる基地局１０４からの信号と基地局１０４の既知の位置との間の時間差は、位置解決を提供するために処理される。
【００２１】
ＰＲＳシーケンスは、受信されたＰＲＳとＵＥ側で局所的に生成されたＰＲＳとの間の良好な相互相関特性を満たすべきであり、局所的に生成されたＰＲＳは参照である。以下の説明では、ＰＲＳシーケンスのシーケンス生成器としてゴールドコードを使用する。しかし、Ｚａｄｏｆｆ−ｃｈｕ及びＭ系列などの他のシーケンスにも同様のアプローチを適用してもよい。
【００２２】
多くのＩｏＴデバイスでは、バッテリ寿命を延ばすために低消費電力が所望される。比較的単純な相関器受信機が、多くの場合、低電力消費を達成するために採用される。しかし、測位目的の受信機性能は、自己相関及び相互相関の妥当性に影響される。例えば、自己相関は最大化されるべきであり、異なる基地局１０４間の相互相関は最小化されるべきである。
【００２３】
開示された技術は、異なる基地局１０４間の相互相関を低減することに焦点を当てている。これは、ＰＲＳをＵＥ１００に送信する各基地局１０４がＰＲＳを生成する方法を修正すること、同様にＵＥ１００が内部参照ＰＲＳを生成する方法を修正することによって達成される。ＰＲＳ送信は、典型的に一連の繰り返しとして送信される。開示された技術によれば、各ＰＲＳの反復は、本明細書では第１のＰＲＳシーケンス及び第２のＰＲＳシーケンスと呼ばれる２つのＰＲＳシーケンスを含む。第１及び第２のＰＲＳシーケンスは、第１及び第２のＰＲＳシンボルと呼ばれることもある。
【００２４】
基地局１０４の一意識別子（例えば、セルＩＤ）を使用して、基地局は、第１のＰＲＳシーケンスを生成する。第１のＰＲＳシーケンスは、従来のＰＲＳシーケンス（ＰＲＳシンボルとも呼ばれる）が、ゴールドシーケンス生成器などを使用して生成されるような方法で生成されてもよい。
【００２５】
基地局１０４は、第１のＰＲＳシーケンスに修正関数を適用して第２のＰＲＳシーケンスを生成する。第１及び第２のＰＲＳシーケンスの送信のために、第１及び第２のＰＲＳシーケンスは、例えば直交周波数分割多重（Orthogonal  Frequency  Divisional  Multiplexing：ＯＦＤＭ）を使用することによって変調される。例えば、ＬＴＥシステムでは、無線フレーム内の特定のスロットに対してＰＲＳシーケンスが生成される。ＰＲＳシーケンスはＱＰＳＫ変調シンボルにマッピングされる。さらに、これらのＱＰＳＫシンボルは、ＯＦＤＭを使用してＯＦＤＭシンボルに変調される。
【００２６】
例えば、ＰＲＳ生成器ブロックからの出力をＱＰＳＫ変調器ブロックに供給してもよい。ＱＰＳＫ変調器ブロックの出力は、デジタル信号プロセッサに入力してもよく、その出力は、ＯＦＤＭ変調を実行する逆高速フーリエ変換（Inverse  Fast  Fourier  Transform：ＩＦＦＴ）ブロックに供給される。ＩＦＦＴブロックの出力はサイクリックプレフィックス（cyclic  prefix：ＣＰ）挿入ブロックに供給され、最終的に送信される。
【００２７】
その結果は、第１及び第２のＰＲＳシーケンスを含む基地局１０４のセルＩＤのＯＦＤＭシンボルである。ＰＲＳシーケンスを表すＯＦＤＭシンボルは、適切なリソース要素（Resource  Element：ＲＥ）で送信されてもよい。図４は、２つのリソースブロック（Resource  Block:ＲＢ）それぞれのサブフレームに細分化された無線フレームを示す。各サブフレームは、サブキャリア及び時間に従ってさらにＲＥに分割される２つのスロットを有する。
【００２８】
開示されたアプローチをさらに描写するために、図５Ａは、第１のＰＲＳシーケンスを表す第１の信号空間配置点５００ａ及び第１の基地局１０４ａに対する第２のＰＲＳシーケンスを表す第２の信号空間配置点５０２ａを含む、ＯＦＤＭシンボルの例示的な信号空間配置図を示す。図５Ｂは、第１のＰＲＳシーケンスを表す第１の信号空間配置点５００ｂ及び第２の基地局１０４ｂに対する第２のＰＲＳシーケンスを表す第２の信号空間配置点５０２ｂを含む、ＯＦＤＭシンボルの例示的な信号空間配置図を示す。同様の信号空間配置図（単数又は複数）を、第３の基地局１０４ｃ及びＵＥ１００にＰＲＳを提供する他の基地局１０４に対して描いてもよい。
【００２９】
変調された第１のＰＲＳシーケンス及び第２のＰＲＳシーケンスは、ＵＥ１００に送信され、共にＰＲＳインスタンスを形成する。このプロセスを繰り返して複数のＰＲＳインスタンスを送信することができ、各インスタンスは、第１のＰＲＳシーケンスと第２のＰＲＳシーケンスのペアを含む。
【００３０】
ＰＲＳシーケンスの生成は、物理リソースブロック（Physical  Resource  Block：ＰＲＢ）内のオフセットリソース要素（Resource  Element：ＲＥ）を使用して行われ得る。例えば、図６は、各タイムスロットにおいて送信されたＰＲＳインスタンスを示す例示的なＰＲＢを示し、第１のＰＲＳシーケンスはＲ６で表され、第２のＰＲＳシーケンスはＲ６の後にダイヤモンド記号が続く、すなわちＲ６（ダイヤモンド記号）で表される。説明のために、図５は、ＮＢ−ＩｏＴスタンドアロンモードのＰＲＳのＲＥリソースグリッドである。図示のアプローチでは、第２のＰＲＳ測定シーケンスは、ＰＲＳを搬送するように割り当てられた６つのサブキャリア又は隣接したＲＥによって、第１のＰＲＳシーケンスからオフセットされる。ＲＥを割り当てるための他のアプローチが使用されてもよいことが理解されるであろう。また、他の基地局（例えば、ｅＮＢ）からのＰＲＳインスタンスは、各基地局のセルＩＤに応じて、別のＲＥ又は同じＲＥに配置されてもよい。
【００３１】
修正関数は、第１のＰＲＳシーケンスと第２のＰＲＳシーケンスとの和がゼロとなるように構成される。例えば、基地局１０４に対する任意のＯＦＤＭシンボルについて、ＯＦＤＭシンボルにおける変調シンボル（例えばＱＰＳＫ）の信号空間配置図における第１の信号空間配置点４００は、ＯＦＤＭシンボルにおける変調シンボル（例えばＱＰＳＫ）の信号空間配置図における第２の信号空間配置点４０２とは反対側の位置にある（例えば１８０°回転）。複数のＰＲＳ反復については、第１及び第２のＰＲＳシーケンスの配列は、記述されているようなインターリーブ配列である必要はない。むしろ、関連する構成要素の和がゼロに等しい限り、シーケンスは別の方法で配列されてもよい。
【００３２】
１つの基地局１０４から受信されたＰＲＳシーケンスの相互相関のために、ＵＥ１００は、第１のＰＲＳ参照シーケンス及び第２のＰＲＳ参照シーケンスを有するＰＲＳ参照を生成する。第１及び第２のＰＲＳ参照シーケンスは、第１及び第２のＰＲＳ参照シンボルと呼ばれることもある。ＰＲＳ参照は、ＵＥ１００によって局所的に生成されるＰＲＳシーケンスとみなすことができる。
【００３３】
第１のＰＲＳ参照シーケンスは、メモリ３０４に記憶され、及び／又は、ＵＥ１００によって取得されたデータから生成される。例えば、第１のＰＲＳ参照シーケンスは、適切な基地局１０４の一意識別子（例えば、セルＩＤ）、ＯＦＤＭシンボル番号、サブキャリア番号及びＣＰタイプから生成されてもよい。この目的のために、ＵＥ１００は、周囲のネットワークノード（例えば、セルＩＤ）に関する情報を収集してもよい。ＵＥ１００は、第１のＰＲＳ参照シーケンスに修正関数を適用して第２のＰＲＳ参照シーケンスを生成する。修正関数は、それぞれの第２のＰＲＳシーケンスを生成するために基地局１０４によって使用されるのと同じ修正関数であってもよい。修正関数は、第１及び第２のＰＲＳ参照シーケンスの和がゼロとなるように構成される。第１のＰＲＳ参照シーケンス及び第２のＰＲＳ参照シーケンスがそれぞれのＯＦＤＭシンボルに変調された場合、ＯＦＤＭシンボルは、上述のように基地局１０４で生成される第１及び第２のＰＲＳ信号に対応するＯＦＤＭシンボルと、信号空間配置点の位置に関して同じ特性を有する。
【００３４】
続いて図７を参照すると、ＵＥ１００で実行されるＰＲＳシーケンス受信機の処理関数の概略図が示されている。基地局１０４から受信された各ＰＲＳ反復（図６の受信されたＰＲＳシーケンス）は、相互相関器７００に入力され、ＵＥ１００によって生成された対応するＰＲＳ参照は、相互相関器７００に入力される。相互相関器７００は、相互相関関数（例えば、ＯＦＤＭシンボルレベルで）を実行し、相互相関関数の出力は、ピーク検出関数を実行するピーク検出器７０２に入力される。ピーク検出器７０２は、第１のピークを見つけ、したがって、到着時間（ＴｏＡ）を推定する。
【００３５】
ＵＥ１００では、自己相関関数がＲｘｘ（τ）、相互相関関数がＲｘｙ（τ）と定義されており、それぞれ式１及び式２に示されている。
【００３６】
【数１】
2021532671.tif 000003
【数２】
2021532671.tif 000004
【００３７】
自己相関Ｒｘｘ（τ）のメインローブを狭くし、相互相関値Ｒｘｙ（τ）（基地局１０４間の相互相関の結果）を最小化すると、式３に記述されるように、自己相関及び相互相関の両方が測位評価において役割を果たすので、測位精度を改善してもよい。
【００３８】
【数３】
2021532671.tif 000005
【００３９】
相互相関を減少させるために、第２のＰＲＳシーケンスは、信号空間配置図において第１のＰＲＳシーケンスとは反対側の位置にある。修正されたゴールドシーケンス生成器の形態で、第２のＰＲＳシーケンス（又は第２のＰＲＳ参照シーケンス）を生成するための例示的な修正関数が、以下の擬似コードリスト１にリストされる。リスト１の擬似コードが、ＭＡＴＬＡＢ（登録商標）コードで提供される。
【００４０】
〔リスト１〕
RSSeq  =  zeros(1,2);
for  m  =  0:1
if  m  ==0
RSSeq(m+1)  =  ((1-2*c(2*m+1))+...
1i*(1-2*c(2*m+2)))/sqrt(2);
else
RSSeq(m+1)  =-1*RSSeq(1)  ;
end
end
【００４１】
リスト１では、ＲＳＳｅｑは参照信号を表し、ｃは生成されたゴールドコードビット（０又は１のいずれか）であり、ｍはシンボルインデックス（例えば、第１のＰＲＳシーケンスに対してｍはゼロ（０）に等しく、第２のＰＲＳシーケンスに対してｍは１（１）に等しい）である。ここで、第１のＰＲＳシーケンス（ＲＳＳｅｑ（１））は、例えば、３ＧＰＰのＴＳ３６．２１１のＶ１５セクション６．１０．４．１に従って生成される。第２のＰＲＳシーケンスは、上述に従って生成され、第１のＰＲＳシーケンスの「反対」となる（例えば、それらの和はゼロである）。
【００４２】
シミュレーションを実行して、開示された技術をＴＳ３６．２１１バージョン１５．２．０以前に記載されたレガシー技術と比較した。図７は、２つのアプローチの性能を示すための累積分布関数（distribution  function：ＣＤＦ）バージョンの水平誤差のグラフであり、実線は、本明細書に記載されるアプローチを表し、一点鎖線は、ＡＷＧＮチャネルに対する従来の（レガシー）アプローチを表す。Ａ点及びＢ点（ＣＤＦ０．７）に示すように、およそ１３メートルの精度が得られた。したがって、性能精度は、約２２％向上した。
【００４３】
開示されたアプローチの様々な個々の態様は、以下のように要約されることがある。１）ＰＲＳ生成の関数を導入して、複数の基地局からの位置決定参照信号の相互相関を最小化し、２）後続のＰＲＳシンボルが反対側の信号空間配置点になるように関数を実行し、３）より広い帯域幅でＰＲＳ送信をサポートするために、１）及び２）を次のＰＲＢ反復で繰り返し、４）ＵＥ１００の受信機は、この動作を認識し、相関目的のために参照信号を生成する場合に同じアプローチを採用し、５）基地局１０４及び／又はＵＥ１００からシグナリングし、この動作に対するサポートを調整し、必要に応じて後方互換性をサポートしてもよい。シグナリングは、例えば、無線リソース制御（ＲＲＣ）シグナリング又はＵＥ能力シグナリングの形態としてもよい。
【００４４】
図９をさらに参照すると、ＰＲＳを生成し送信する論理演算命令を実行する際に、基地局１０４によって実行されてもよいステップを表す例示的なフロー図が示されている。ＵＥ１００の相補的動作もまた、本開示から理解されるであろう。論理的な推移として図示されているが、図９の図示されたブロックは、他の順序で、及び／又は、２つ以上のブロックの間で同時に実行されてもよい。したがって、図示されたフロー図は、変更されてもよく（ステップの省略を含む）、及び／又は、オブジェクト指向方法もしくは状態指向方法で実施されてもよい。
【００４５】
論理フローは、基地局１０４がＰＲＳ構成モードに入る、ブロック９００で開始してもよい。構成モードを使用し、開示されたアプローチに従ってレガシーＰＲＳ又はＰＲＳなど、生成するＰＲＳのタイプを決定する。例えば、ブロック９０２において、基地局１０４は、第１のＰＲＳ参照シーケンスを生成し、第１のＰＲＳ参照シーケンスに修正関数を適用することによって第２のＰＲＳ参照シーケンスを生成することを、ＵＥ１００がサポートすることを決定する。この決定は、基地局１０４とＵＥ１００との間のＲＲＣシグナリング又はＵＥ能力シグナリングを使用して行うことができる。ＵＥ１００がこの能力をサポートしない場合、ＵＥ１００はレガシーデバイスとみなすことができ、ブロック９０２で正の決定が行われ得る。ＵＥ１００がこの能力をサポートしている場合、ブロック９０２で負の決定が行われ得る。
【００４６】
ブロック９０２で正の決定が行われると、論理フローはブロック９０４に進むことができ、そこで従来のＰＲＳ生成及び送信が行われる。
【００４７】
さもなければ、ＵＥ１００が開示されたＰＲＳ技術をサポートする場合、論理フローはブロック９０６に進む。ブロック９０６で、第１のＰＲＳ信号が生成される。次に、ブロック９０８で、第２のＰＲＳ信号が生成される。ブロック８１０で、ＰＲＳ反復が送信される。ブロック８１０に続いて、論理フローはブロック９０６に戻り、次のＰＲＳ反復を生成して送信してもよい。
【００４８】
別の実施形態では、基地局１０４は、レガシーアプローチ又は本明細書に開示されたアプローチのみをサポートするように構成されてもよい。基地局１０４がレガシーアプローチをサポートしない場合、基地局１０４はブロック９００及び９０２を実行せずに進み、ブロック９０６で開始する。
【００４９】
図１０をさらに参照すると、開示された技術に従って論理演算命令を実行する際に、ＵＥ１００によって実行されてもよいステップを表す例示的なフロー図が示されている。図示されたステップは、観測到着時間差（ＯＴＤＯＡ）位置決定を行う動作の一部である。基地局１０４の相補的な動作もまた、本開示から理解されるであろう。論理的な推移として図示されているが、図１０の図示されたブロックは、他の順序で、及び／又は、２つ以上のブロックの間で同時に実行されてもよい。したがって、図示されたフロー図は、変更されてもよく（ステップの省略を含む）、及び／又は、オブジェクト指向方法もしくは状態指向方法で実施されてもよい。
【００５０】
論理フローはブロック１０００で開始することができ、そこでＵＥ１００は基地局１０４からＰＲＳシーケンスを受信する。次に、ブロック１００２で、ＵＥ１００は、第１及び第２の参照シーケンスを生成する。ブロック１００４で、受信されたＰＲＳシーケンスと生成されたＰＲＳ参照シーケンスとが、相互相関される。次に、ブロック１００６で、相互相関の結果を使用して、到着の推定時間差を決定してもよい。
【００５１】
〔結論〕
態様Ａと呼ばれる、本開示の一態様によれば、電子デバイス（１００）において観測到着時間差（ＯＴＤＯＡ）位置決定をサポートする位置決定参照信号（ＰＲＳ）を送信する方法であって、一意識別子を有するネットワークノード（１０４）によって実行され、
ａ）第１のＰＲＳシーケンスを生成すること（９０６）と、
ｂ）修正関数を用いて前記第１のＰＲＳシーケンスを修正し、第２のＰＲＳシーケンスを生成することによって、前記第２のＰＲＳシーケンスを生成すること（９０８）であって、前記第１のＰＲＳシーケンスと前記第２のＰＲＳシーケンスの和がゼロである、前記生成することと、
ｃ）前記第１及び第２のＰＲＳシーケンスを送信すること（９１０）とを含む。
【００５２】
態様Ｂと呼ばれる、態様Ａの実施形態によれば、前記第１及び第２のＰＲＳシーケンスは、物理リソースブロックのそれぞれのリソース要素で送信される。
【００５３】
態様Ｃと呼ばれる、態様ＡからＢのいずれかの実施形態によれば、前記第１及び第２のＰＲＳシーケンスは、直交周波数分割多重（ＯＦＤＭ）シンボルで送信するように変調される。
【００５４】
態様Ｄと呼ばれる、態様Ｃの実施形態によれば、前記ＯＦＤＭシンボルの信号空間配置図における前記第１のＰＲＳシーケンスを表す信号空間配置点は、前記信号空間配置図における第２のＰＲＳシーケンスを表す信号空間配置点と反対側の位置にある。
【００５５】
態様Ｅと呼ばれる、態様ＡからＤのいずれかの実施形態によれば、方法は、第１のＰＲＳ参照シーケンスを生成し、第１のＰＲＳ参照シーケンスに修正関数を適用することによって第２のＰＲＳ参照シーケンスを生成することを、電子デバイスがサポートすることを決定すること（９０２）をさらに含む。
【００５６】
態様Ｆと呼ばれる、態様Ｅの実施形態によれば、前記決定することは、前記ネットワークノードと前記電子デバイスとの間の無線リソース制御シグナリング又はユーザ機器能力シグナリングのうちの少なくとも１つを使用して実行される。
【００５７】
態様Ｇと呼ばれる、態様ＡからＦのいずれかの実施形態によれば、方法は、前記電子デバイス用の一連の第１及び第２のＰＲＳシーケンスを提供するために、ａ）からｃ）を繰り返すことをさらに含む。
【００５８】
態様Ｈと呼ばれる、本開示の別の態様によれば、一意識別子を有する無線アクセスネットワーク（１０２）内の無線アクセスノード（１０４）であって、
電子デバイス（１００）と通信を行うように構成された無線インタフェース（２０２）と、
制御回路（２００）であって、
ａ）第１の位置決定参照信号（Position  Reference  Signal：ＰＲＳ）シーケンスを生成し（９０６）、
ｂ）修正関数を用いて第１のＰＲＳシーケンスを修正し、第２のＰＲＳシーケンスを生成することによって、第２のＰＲＳシーケンスを生成し（９０８）、第１のＰＲＳシーケンスと第２のＰＲＳシーケンスの和がゼロであり、
ｃ）第１及び第２のＰＲＳシーケンスを送信する（９１０）、
ように構成された制御回路（２００）とを備える。
【００５９】
態様Ｉと呼ばれる、態様Ｈの実施形態によれば、前記第１及び第２のＰＲＳシーケンスは、物理リソースブロックのそれぞれのリソース要素で送信される。
【００６０】
態様Ｊと呼ばれる、態様ＨからＩのいずれかの実施形態によれば、前記第１及び第２のＰＲＳシーケンスは、直交周波数分割多重（ＯＦＤＭ）シンボルで送信するように変調される。
【００６１】
態様Ｋと呼ばれる、態様Ｊの実施形態によれば、前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある。
【００６２】
態様Ｌと呼ばれる、態様ＨからＫのいずれかの実施形態によれば、前記制御回路は、第１のＰＲＳ参照シーケンスを生成し、第１のＰＲＳ参照シーケンスに修正関数を適用することによって第２のＰＲＳ参照シーケンスを生成することを、前記電子デバイスがサポートすることを決定する（９０２）ようにさらに構成される。
【００６３】
態様Ｍと呼ばれる、態様Ｌの実施形態によれば、前記決定することは、前記無線アクセスノードと前記電子デバイスとの間の無線リソース制御シグナリング又はユーザ機器能力シグナリングのうちの少なくとも１つを使用して実行される。
【００６４】
態様Ｎと呼ばれる、態様ＨからＭのいずれかの実施形態によれば、前記制御回路は、前記電子デバイス用の一連の第１及び第２のＰＲＳシーケンスを提供するために、ａ）からｃ）を繰り返すように構成される。
【００６５】
態様Ｏと呼ばれる、本開示の別の態様によれば、電子デバイス（１００）によって観測到着時間差（ＯＴＤＯＡ）位置決定を行う方法は、
一意識別子を有するネットワークノードから第１のＰＲＳシーケンス及び第２のＰＲＳシーケンスを受信すること（１０００）であって、前記第２のＰＲＳシーケンスは、前記第１のＰＲＳシーケンスに修正関数を適用することによる前記第１のＰＲＳシーケンスの修正バージョンであり、前記第１のＰＲＳシーケンスと前記第２のＰＲＳシーケンスとの和がゼロである、前記受信することと、
第１のＰＲＳ参照シーケンスを生成し、前記第１のＰＲＳ参照シーケンスに前記修正関数を適用することによって第２のＰＲＳ参照シーケンスを生成すること（１００２）と、
前記生成されたＰＲＳ参照シーケンスと前記受信されたＰＲＳシーケンスとを相互相関すること（１００４）と、
前記相互相関することの結果から到着の推定時間差を決定すること（１００６）とを含む。
【００６６】
態様Ｐと呼ばれる、態様Ｏの実施形態によれば、前記第１及び第２のＰＲＳシーケンスは、直交周波数分割多重（ＯＦＤＭ）シンボルでネットワークノードによって送信するように変調される。
【００６７】
態様Ｑと呼ばれる、態様Ｐの実施形態によれば、前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある。
【００６８】
態様Ｒと呼ばれる、本開示の別の態様によれば、前記観測到着時間差（ＯＴＤＯＡ）位置決定を行う電子デバイス（１００）は、
一意識別子を有するネットワークノード（１０４）から第１のＰＲＳシーケンス及び第２のＰＲＳシーケンスを受信（１０００）し、前記第２のＰＲＳシーケンスは、前記第１のＰＲＳシーケンスに修正関数を適用することによる第１のＰＲＳシーケンスの修正バージョンであり、前記第１のＰＲＳシーケンスと第２のＰＲＳシーケンスとの和がゼロである、ように構成された無線インタフェース（３０２）と、
制御回路（３００）であって、
第１のＰＲＳ参照シーケンスを生成し、前記第１のＰＲＳ参照シーケンスに前記修正関数を適用することによって第２のＰＲＳ参照シーケンスを生成し（１００２）、
前記生成されたＰＲＳ参照シーケンスと前記受信されたＰＲＳシーケンスとを相互相関し（１００４）、
前記相互相関することの結果から到着の推定時間差を決定する（１００６）、ように構成された制御回路（３００）とを備える。
【００６９】
態様Ｓと呼ばれる、態様Ｒの実施形態によれば、前記第１及び第２のＰＲＳシーケンスは、直交周波数分割多重（ＯＦＤＭ）シンボルで前記ネットワークノードによって送信するように変調される。
【００７０】
態様Ｔと呼ばれる、態様Ｓの実施形態によれば、前記ＯＦＤＭシンボルの信号空間配置図における前記第１のＰＲＳシーケンスを表す前記信号空間配置点は、前記信号空間配置図における前記第２のＰＲＳシーケンスを表す信号空間配置点と反対側の位置にある。
【００７１】
いくつかの実施形態が示され、記載されているが、本明細書を読み、理解すると、当業者は添付の特許請求の範囲に含まれる均等物及び修正を思い付くことを理解されよう。
【図１】
2021532671.tif 000006
【図２】
2021532671.tif 000007
【図３】
2021532671.tif 000008
【図４】
2021532671.tif 000009
【図５Ａ】
2021532671.tif 000010
【図５Ｂ】
2021532671.tif 000011
【図６】
2021532671.tif 000012
【図７】
2021532671.tif 000013
【図８】
2021532671.tif 000014
【図９】
2021532671.tif 000015
【図１０】
2021532671.tif 000016
【手続補正書】
【提出日】令和3年1月26日(2021.1.26)
【手続補正１】
【補正対象書類名】特許請求の範囲
【補正対象項目名】全文
【補正方法】変更
【補正の内容】
【特許請求の範囲】
【請求項１】
電子デバイス（１００）において観測到着時間差（Observed  Time  Difference  of  Arrival：ＯＴＤＯＡ）位置決定をサポートする位置決定参照信号（Position  Reference  Signal：ＰＲＳ）を送信する方法であって、一意識別子を有するネットワークノード（１０４）によって実行され、
ａ）第１のＰＲＳシーケンスを生成すること（９０６）と、
ｂ）修正関数を用いて前記第１のＰＲＳシーケンスを修正し、第２のＰＲＳシーケンスを生成することによって、前記第２のＰＲＳシーケンスを生成すること（９０８）であって、前記第１のＰＲＳシーケンスと前記第２のＰＲＳシーケンスの和がゼロである、前記生成することと、
ｃ）前記第１及び第２のＰＲＳシーケンスを送信すること（９１０）とを含む、方法。
【請求項２】
前記第１及び第２のＰＲＳシーケンスは、物理リソースブロックのそれぞれのリソース要素で送信される、請求項１に記載の方法。
【請求項３】
前記第１及び第２のＰＲＳシーケンスは、直交周波数分割多重（Orthogonal  Frequency  Divisional  Multiplexing：ＯＦＤＭ）シンボルで送信するように変調される、請求項１又は２に記載の方法。
【請求項４】
前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある、請求項３に記載の方法。
【請求項５】
第１のＰＲＳ参照シーケンスを生成し、前記第１のＰＲＳ参照シーケンスに前記修正関数を適用することによって第２のＰＲＳ参照シーケンスを生成することを、前記電子デバイスがサポートすることを決定すること（９０２）をさらに含み、
前記決定することは、前記ネットワークノードと前記電子デバイスとの間の無線リソース制御シグナリング又はユーザ機器能力シグナリングのうちの少なくとも１つを使用して実行される、請求項１に記載の方法。
【請求項６】
前記電子デバイス用の一連の第１及び第２のＰＲＳシーケンスを提供するために、ａ）からｃ）を繰り返すことをさらに含む、請求項１又は２に記載の方法。
【請求項７】
一意識別子を有する無線アクセスネットワーク（１０２）内の無線アクセスノード（１０４）であって、
電子デバイス（１００）と通信を行うように構成された無線インタフェース（２０２）と、
制御回路（２００）であって、
ａ）第１の位置決定参照信号（ＰＲＳ）シーケンスを生成し（９０６）、
ｂ）修正関数を用いて前記第１のＰＲＳシーケンスを修正し、第２のＰＲＳシーケンスを生成することによって、前記第２のＰＲＳシーケンスを生成し（９０８）、前記第１のＰＲＳシーケンスと前記第２のＰＲＳシーケンスの和がゼロであり、
ｃ）前記第１及び第２のＰＲＳシーケンスを送信する（９１０）、
ように構成された制御回路（２００）と、を備える、無線アクセスノード。
【請求項８】
前記第１及び第２のＰＲＳシーケンスは、物理リソースブロックのそれぞれのリソース要素で送信される、請求項７に記載の無線アクセスノード。
【請求項９】
前記第１及び第２のＰＲＳシーケンスは、直交周波数分割多重（Orthogonal  Frequency  Divisional  Multiplexing：ＯＦＤＭ）シンボルで送信するように変調される、請求項７又は８に記載の無線アクセスノード。
【請求項１０】
前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある、請求項９に記載の無線アクセスノード。
【請求項１１】
前記制御回路は、前記電子デバイス用の一連の第１及び第２のＰＲＳシーケンスを提供するために、ａ）からｃ）を繰り返すように構成された、請求項７又は８に記載の無線アクセスノード。
【請求項１２】
電子デバイス（１００）によって観測到着時間差（Observed  Time  Difference  of  Arrival：ＯＴＤＯＡ）位置決定を行う方法であって、
一意識別子を有するネットワークノードから第１のＰＲＳシーケンス及び第２のＰＲＳシーケンスを受信すること（１０００）であって、前記第２のＰＲＳシーケンスは、前記第１のＰＲＳシーケンスに修正関数を適用することによる前記第１のＰＲＳシーケンスの修正バージョンであり、前記第１のＰＲＳシーケンスと前記第２のＰＲＳシーケンスとの和がゼロである、前記受信することと、
第１のＰＲＳ参照シーケンスを生成し、前記第１のＰＲＳ参照シーケンスに前記修正関数を適用することによって第２のＰＲＳ参照シーケンスを生成すること（１００２）と、
前記生成されたＰＲＳ参照シーケンスと前記受信されたＰＲＳシーケンスとを相互相関すること（１００４）と、
前記相互相関することの結果から到着の推定時間差を決定すること（１００６）とを含む、方法。
【請求項１３】
前記第１及び第２のＰＲＳシーケンスは、直交周波数分割多重（Orthogonal  Frequency  Divisional  Multiplexing：ＯＦＤＭ）シンボルで前記ネットワークノードによって送信するように変調される、請求項１２に記載の方法。
【請求項１４】
前記ＯＦＤＭシンボルの信号空間配置図における前記第１のＰＲＳシーケンスを表す信号空間配置点は、前記信号空間配置図における前記第２のＰＲＳシーケンスを表す信号空間配置点と反対側の位置にある、請求項１３に記載の方法。
【請求項１５】
観測到着時間差（Observed  Time  Difference  of  Arrival：ＯＴＤＯＡ）位置決定を行う電子デバイス（１００）であって、
一意識別子を有するネットワークノード（１０４）から第１のＰＲＳシーケンス及び第２のＰＲＳシーケンスを受信（１０００）し、前記第２のＰＲＳシーケンスは、前記第１のＰＲＳシーケンスに修正関数を適用することによる前記第１のＰＲＳシーケンスの修正バージョンであり、前記第１のＰＲＳシーケンスと前記第２のＰＲＳシーケンスとの和がゼロである、ように構成された無線インタフェース（３０２）と、
請求項１２〜１４のいずれかに記載の方法を実行するように構成された制御回路（３００）とを備える、電子デバイス。
【国際調査報告】
2021532671.tif 000017
2021532671.tif 000018
2021532671.tif 000019